(57)【要約】【課題】  本発明は、入札者の参加意欲の向上に寄与することができるオークションシステムを提供することにある。【解決手段】  主催サーバ１３は、商品に関する入札内容をホームページに提示しておき、入札者のユーザ端末１５から商品の入札価格を受信し、入札者のユーザ端末１５から受信した商品の入札価格を登録し、入札者のユーザ端末に乱数発生処理に関する操作を促し、入札者のユーザ端末から受信した操作情報に基づいて乱数を発生させ、この乱数に基づいて減算金額を算出し、登録されている入札価格からこの減算金額を減算して支払い金額とし、落札時に、この支払金額の支払い要求を入札者が契約する決済機関の決済機関サーバ１７に送信する。【選択図】      図１
2007200365.tif 000002
【特許請求の範囲】
【請求項１】
入札者の通信端末と情報ネットワークを介して接続し、商品に関する入札内容をホームページに提示して商品のオークションを提供するサーバを備えたオークションシステムであって、
前記サーバは、
入札者の通信端末から商品の入札価格を受信する入札価格受信手段と、
前記入札者の通信端末から受信した商品の入札価格を登録する登録手段と、
前記入札者の通信端末に所定の操作画面を提示して所定の操作を促す操作画面提示手段と、
前記入札者の通信端末から操作情報を受信する操作情報受信手段と、
受信した操作情報に基づいて、予測不能数を発生させる予測不能数発生手段と、
この予測不能数に基づいて減算金額を算出し、登録されている入札価格からこの減算金額を減算して支払金額とする減算手段と、
前記入札者の通信端末に前記入札価格と、前記減算金額と、前記支払金額とを提示する提示手段と、
落札時に、前記支払金額の支払い要求を前記入札者が契約する決済機関に送信する支払い要求送信手段とを有することを特徴とするオークションシステム。
【請求項２】
入札者の通信端末と情報ネットワークを介して接続し、商品に関する入札内容をホームページに提示して商品のオークションを提供するサーバを備えたオークションシステムであって、
前記サーバは、
入札者の通信端末から商品の入札価格を受信する入札価格受信手段と、
前記入札者の通信端末から受信した商品の入札価格を登録する登録手段と、
前記入札者の通信端末に所定の操作画面を提示して所定の操作を促す操作画面提示手段と、
前記入札者の通信端末から操作情報を受信する操作情報受信手段と、
受信した操作情報に基づいて、予測不能数を発生させる予測不能数発生手段と、
落札時に、この予測不能数に基づいて減算金額を算出し、登録されている入札価格からこの減算金額を減算して支払金額とする減算手段と、
前記入札者の通信端末に前記入札価格と、前記減算金額と、前記支払金額とを提示する提示手段と、
前記支払金額の支払い要求を前記入札者が契約する決済機関に送信する支払い要求送信手段とを有することを特徴とするオークションシステム。
【請求項３】
前記操作画面提示手段は、
前記入札者の通信端末から所定のアンケートに回答することに同意する情報を受信した場合に、前記所定の操作を促す手段に移行することを特徴とする請求項１または２に記載のオークションシステム。
【請求項４】
前記操作画面提示手段は、
前記入札者の通信端末から所定の広告を含む電子メールを受信することに同意した情報を受信した場合に、前記所定の操作を促す手段に移行することを特徴とする請求項１または２に記載のオークションシステム。
【請求項５】
前記操作画面提示手段は、
前記予測不能数を発生させるための操作画面として、少なくとも、スロットマシーンゲーム、ルーレットゲーム、ダイスゲーム、カードゲーム、阿弥陀くじ、ジャンケン、コイン投げゲーム、スマートボールゲームのうちの１つに関する操作画面を有することを特徴とする請求項１または２に記載のオークションシステム。
【請求項６】
前記サーバは、
入札手数料を徴収するオークションを提供するサーバであって、
入札者の通信端末から商品に関する入札価格を受信した場合には、当該入札者が加入する決済機関からオークション主催者の所定口座に前記入札申込手数料の支払いを要求する支払い要求手段を備えたことを特徴とする請求項１または２に記載のオークションシステム。
【請求項７】
落札時に、少なくとも落札された商品の商品名、入札者の所在エリア、ニックネームおよび入札番号を含む落札結果を表す電子掲示板を生成するとともに、落札された商品の落札価格を当該電子掲示板には非開示とする落札内容提示手段を有することを特徴とする請求項１または２に記載のオークションシステム。
【発明の詳細な説明】
【技術分野】
【０００１】
本発明は、オークションシステムに関し、特に、情報ネットワークを介して商品のオークションを行うオークションシステムに関する。
【背景技術】
【０００２】
近年、情報通信の発展に伴い、例えばインターネットを介して商品のオークションが行われるようになってきた。
【０００３】
この従来のオークションシステムにおいては、ＷＷＷサーバは、ホームページ上に、商品情報、当該商品の品数、現在の最高入札金額、入札者数等の情報を含む競り画面を入札者に提示し、さらに、入札者に商品の入札価格の入力を促しておく。そして、入札者から商品に関する入札価格が入力された場合には、一旦記憶部に記憶しておき、所定期間内に入力された入札価格の中から上位の入札価格を品数分だけ落札価格として選択する。
【０００４】
そして、ＷＷＷサーバは、落札したことを表す情報を当該落札者に提示し、落札者に購入の意志を確認し、購入の意志がある落札者が加入する金融機関からオークション主催者の所定口座に落札価格の支払いを要求していた。
【発明の開示】
【発明が解決しようとする課題】
【０００５】
しかしながら、従来のオークションシステムにあっては、上述した競り画面に現在の最高入札金額を提示しているので、刻々と上昇する最高入札価格を確認するつど参加意欲が低下し、入札を断念する者も現れるといった問題があった。
【０００６】
本発明は、上記に鑑みてなされたもので、その目的としては、入札者の参加意欲の向上に寄与することができるオークションシステムを提供することにある。
【課題を解決するための手段】
【０００７】
請求項１記載の発明は、上記課題を解決するため、入札者の通信端末と情報ネットワークを介して接続し、商品に関する入札内容をホームページに提示して商品のオークションを提供するサーバを備えたオークションシステムであって、前記サーバは、入札者の通信端末から商品の入札価格を受信する入札価格受信手段と、前記入札者の通信端末から受信した商品の入札価格を登録する登録手段と、前記入札者の通信端末に所定の操作画面を提示して所定の操作を促す操作画面提示手段と、前記入札者の通信端末から操作情報を受信する操作情報受信手段と、受信した操作情報に基づいて、予測不能数を発生させる予測不能数発生手段と、この予測不能数に基づいて減算金額を算出し、登録されている入札価格からこの減算金額を減算して支払金額とする減算手段と、前記入札者の通信端末に前記入札価格と、前記減算金額と、前記支払金額とを提示する提示手段と、落札時に、前記支払金額の支払い要求を前記入札者が契約する決済機関に送信する支払い要求送信手段とを有することを要旨とする。
【０００８】
請求項２記載の発明は、上記課題を解決するため、入札者の通信端末と情報ネットワークを介して接続し、商品に関する入札内容をホームページに提示して商品のオークションを提供するサーバを備えたオークションシステムであって、前記サーバは、入札者の通信端末から商品の入札価格を受信する入札価格受信手段と、前記入札者の通信端末から受信した商品の入札価格を登録する登録手段と、前記入札者の通信端末に所定の操作画面を提示して所定の操作を促す操作画面提示手段と、前記入札者の通信端末から操作情報を受信する操作情報受信手段と、受信した操作情報に基づいて、予測不能数を発生させる予測不能数発生手段と、落札時に、この予測不能数に基づいて減算金額を算出し、登録されている入札価格からこの減算金額を減算して支払金額とする減算手段と、前記入札者の通信端末に前記入札価格と、前記減算金額と、前記支払金額とを提示する提示手段と、前記支払金額の支払い要求を前記入札者が契約する決済機関に送信する支払い要求送信手段とを有することを要旨とする。
【０００９】
請求項３記載の発明は、上記課題を解決するため、前記操作画面提示手段は、前記入札者の通信端末から所定のアンケートに回答することに同意する情報を受信した場合に、前記所定の操作を促す手段に移行することを要旨とする。
【００１０】
請求項４記載の発明は、上記課題を解決するため、前記操作画面提示手段は、前記入札者の通信端末から所定の広告を含む電子メールを受信することに同意した情報を受信した場合に、前記所定の操作を促す手段に移行することを要旨とする。
【００１１】
請求項５記載の発明は、上記課題を解決するため、前記操作画面提示手段は、前記予測不能数を発生させるための操作画面として、少なくとも、スロットマシーンゲーム、ルーレットゲーム、ダイスゲーム、カードゲーム、阿弥陀くじ、ジャンケン、コイン投げゲーム、スマートボールゲームのうちの１つに関する操作画面を有することを要旨とする。
【００１２】
請求項６記載の発明は、上記課題を解決するため、前記サーバは、入札手数料を徴収するオークションを提供するサーバであって、入札者の通信端末から商品に関する入札価格を受信した場合には、当該入札者が加入する決済機関からオークション主催者の所定口座に前記入札申込手数料の支払いを要求する支払い要求手段を備えたことを要旨とする。
【００１３】
請求項７記載の発明は、上記課題を解決するため、落札時に、少なくとも落札された商品の商品名、入札者の所在エリア、ニックネームおよび入札番号を含む落札結果を表す電子掲示板を生成するとともに、落札された商品の落札価格を当該電子掲示板には非開示とする落札内容提示手段を有することを要旨とする。
【発明の効果】
【００１４】
本発明のオークションシステムによれば、入札者の支払金額が入札価格から減額されるため、入札者の参加意欲の向上に寄与することができる。
【発明を実施するための最良の形態】
【００１５】
以下、本発明の実施の形態を図面を参照して説明する。
【００１６】
（第１の実施の形態）
図１は、本発明の第１の実施の形態に係るオークションシステムの構成を示す図である。
【００１７】
まず、図１を参照してシステム構成を説明する。
【００１８】
図１に示すように、インターネット１１には、オークションを主催するオークション主催サーバ１３と、例えばユーザ宅に設けられたユーザ端末１５と、ユーザが加入しユーザの支払いを代行する銀行やクレジット会社等の決済機関の決済機関サーバ１７とが接続可能である。
【００１９】
オークション主催サーバ（以下、主催サーバという）１３には、商品の製造メーカから提供可能な商品情報や、商品の品数、実勢価格に加え、オークション会社が予め設定した最低入札価格等の情報を含むホームページデータが予め後述するデータベースに記憶されている。
【００２０】
なお、ユーザ端末１５やインターネット１１に接続可能な上述した決済機関サーバ１７は、キーボードやマウスやディスプレイとともに、制御プログラムやデータを記憶するハードディスク部、制御プログラムに従って全体を制御するＣＰＵ部、インターネット通信を制御するモデムやＤＳＵなどを有するパーソナルコンピュータから構成されている。また、ユーザ端末１３にはインターネットを介して通信可能な携帯通信端末やケーブル・衛星などを利用した通信端末などを用いてもよい。
【００２１】
次に、図２を参照して主催サーバ１３の構成を説明する。
【００２２】
図２に示すように、主催サーバ１３は、インターネット１１を介して複数のユーザ端末や決済機関サーバとの間で情報通信を行う通信処理部２１、当該サーバを制御するためのＯＳプログラムや制御データやホームページを記憶するハードディスクＨＤ２３、入力内容や制御状態を表示するディスプレイ２５、文字情報を入力するためのキーボード２７、内部に日時を計時するためのタイマを有するとともに当該サーバに設けられた各部を制御する制御部２９から構成されている。
【００２３】
次に、図３に示すフローチャート、図４に示すシーケンス図を参照して、主催サーバ１３の動作を中心に説明する。なお、図３に示すフローチャートは主催サーバ１３に設けられたハードディスクＨＤに記憶された制御プログラムに従って制御部２９により動作するものである。
【００２４】
本実施の形態においては、特に、ユーザのユーザ端末１５に乱数発生処理に関する操作を促し、主催サーバ１３は、ユーザ端末１５から受信した操作情報に基づいて乱数を発生させ、この乱数に基づいて加算金額を算出するように動作するものである。
【００２５】
いま、例えばユーザの家庭に設けられたパーソナルコンピュータや携帯通信端末等のユーザ端末１５に電源が投入されＷＷＷブラウザが起動され、さらに、オークション会社のＵＲＬアドレスをＷＷＷブラウザに入力してインターネット１１への送信を開始すると、初めに、接続契約しているプロバイダの電話番号に回線が接続され、そして、プロバイダを経由して主催サーバ１３の通信処理部２１に接続される。さらに、ユーザ端末は、通信処理部２１にホームページ要求を送信する。
【００２６】
ここで、ステップＳ１０では、インターネット１１を介してユーザ端末１５と接続された主催サーバ１３は、ユーザからのホームページ要求に応じて予め記憶されているホームページの情報を読み出してインターネット１１を介してユーザ端末１５に送信する。この結果、ユーザ端末１５には、図５に示すようなホームページのトップ画面（表示画面３１）が表示される。
【００２７】
そこで、ユーザが「コンピュータ」のアイコン３３をマウスを用いてクリックした場合、選択表示ボタン３５の表示色が反転して当該アイコンが選択されたことが示され、図６に示す次の表示画面３７へ移行する。図６には、「コンピュータ」に関する商品項目が表示されている。そこで、「ハードウェア」のアイコン３９がクリックされた場合、選択表示ボタン４１の表示色が反転し、図７に示す次の表示画面４３に移行する。図７は、「ハードウェア」に関する商品項目が表示されている。そこで、「ノートブック」のアイコン４５がクリックされた場合、選択表示ボタン４７の表示色が反転し、図８に示す次の表示画面４９に移行する。
【００２８】
この時、ユーザ端末１５から「ノートブック」に関する商品情報を要求するための商品情報要求（図示しない）が主催サーバ１３へ送信される。ユーザ端末１５から商品情報要求を受信した主催サーバ１３は、ステップＳ２０では、ハードディスク２３に記憶されているデータベースから「ノートブック」に関する商品情報を検索して読み出し、「ノートブック」に関する入札内容を提示するためのページを生成し、ユーザ端末１５へ送信する。
【００２９】
そして、図８には、「ノートブック」に関する各製造メーカの商品Ａ〜Ｄに関して、実勢価格、限定数、最低入札価格などが表示される。そこで、「商品Ａ」のアイコン５１がクリックされた場合、選択表示ボタン５３の表示色が反転し、図９に示す次の表示画面９に移行する。
【００３０】
図９には、「ノートブック」の商品Ａに関する写真、商品説明、商品紹介、販売店のアフターサービス等の情報に加え、当該商品Ａの実勢価格、最低入札価格、限定数等の情報が表示されている。
【００３１】
なお、本実施の形態では、会員登録に関する手続きについてはその説明を省略することとする。また、主催サーバ１３に登録されている会員は、会員番号を付与するとともに、会員の電子メールアドレスをデータベースに記憶することとする。
【００３２】
ここで、「今すぐ入札！！」のアイコン５７がクリックされた場合、選択表示ボタン５９の表示色が反転し、図１０に示す次の表示画面６１に移行する。
【００３３】
図１０には、ユーザが選択した「ノートブック」の商品Ａに関する写真、当該商品の実勢価格、最低入札価格、限定数等の情報に加え、パスワード入力エリア６５、入札価格入力エリア６３、支払い方法として「現金一括」エリア６７と「ローン」エリア６９、「スロットボーナスへ」アイコン７１が表示されている。なお、パスワードは、ユーザ登録時に主催サーバから付与された個々のユーザに固有の認証番号であり、ここでは、パスワードが予め主催サーバから付与されたこととして説明する。
【００３４】
そこで、ユーザの操作により入札申込情報として、パスワード入力エリア６５に上述したパスワードが入力され、引き続き、入札価格入力エリア６３に入札価格が入力され、さらに、支払い方法として「現金一括」又は「ローン」が入力されて「スロットボーナスへ」アイコン７１がクリックされた場合、図１１に示す次の表示画面７３に移行する。なお、商品に対する同一入札者から例えば３回数までの入札の受け付けを許可することとする。この時、ユーザ端末１５から「商品Ａ」に関する入札申込情報が主催サーバ１３へ送信される。
【００３５】
ユーザ端末１５から入札申込情報を受信した主催サーバ１３は、ステップＳ３０では、この入札申込情報をハードディスク２３のデータベースに一旦記憶しておく。そして、主催サーバ１３は、ステップＳ４０では、このユーザに対してボーナスポイントを与えるために、ボーナススロットの小画面を備えた乱数発生処理画面（７３，７７）を生成し、ユーザ端末１５へ送信する。
【００３６】
この結果、ユーザ端末１５のディスプレイには、図１１に示すような表示画面７３が表示される。そこで、「スロット操作へ」のアイコン７５がクリックされた場合、図１２に示す操作表示画面７７に移行する。
【００３７】
ここで、図１２に示す操作表示画面７７について説明する。
【００３８】
操作表示画面７７には、予め例えば３桁の１０進数がカウンタ表示部８１に表示されており、ユーザの操作によりスタートボタン７９がクリックされた場合、カウンタ表示部８１に表示されている各桁の１０進数がそれぞれ独自にカウントを開始する。また、任意の表示桁エリアが、クリックされたときにはカウント動作が停止し、クリック時点での数値が表示される。
【００３９】
まず、操作表示画面７７を視認しているユーザが、スタートボタン７９をクリックすると、カウンタ表示部８１に表示されている各桁の１０進数がそれぞれ独自にカウントを開始する。そこで、任意の表示桁エリアにカーソルを移動し、クリックしてカウント動作を停止させ、同様に、全ての表示桁のカウントを停止させる。ここで、操作表示画面７７に表示されている「送信」アイコン８３がクリックされた場合、例えば３桁の数値を含む乱数発生操作情報としてユーザ端末１５から主催サーバ１３に送信される。
【００４０】
ステップＳ５０では、主催サーバ１３は、ユーザ端末１５から乱数発生操作情報を受信する。  
そして、ステップＳ６０では、ユーザ端末１５から受信した乱数発生操作情報に含まれる例えば３桁の数値に基づいて、乱数発生処理を行って予測不能数となる乱数値を算出する。  
すなわち、受信した例えば３桁の数値Ｉを入力値とした乱数値Ｒを、周知の乱数関数randomにより、
〔数１〕
Ｒ＝Math.ceil（Math.random ＊ （Ｉ））  （１）
に従って求めると、1〜Ｉまでの整数の乱数値が求まる。
【００４１】
なお、乱数発生処理のアルゴリズムに関しては他の周知の手法を用いてもよい。また、受信した例えば３桁の数値Ｉをそのまま入力値とした乱数値Ｒとし、
〔数２〕
Ｒ＝Ｉ                                  （２）
てもよい。
【００４２】
次に、加算金額を以下のようにして算出する。  
ここで、商品の実勢価格Ｊ、最低入札価格Ｎmin 、入札価格Ｎ、加算金額Ｋから、入札価格Ｎと加算金額Ｋの関係条件を求めると、
〔数３〕
Ｎmin ≦ Ｎ+Ｋ ≦ Ｊ                    （３）
となり、さらに、加算金額Ｋの範囲を求めると、
〔数４〕
０ ≦ Ｋ ≦ Ｊ-Ｎ                       （４）
となる。ここで、乱数値Ｒを加味して加算金額Ｋを求める式を、
〔数５〕
Ｋ＝Ｒ＊（1／1000）＊α＊（Ｊ−Ｎ）
０．０１ ≦α≦ ０．９                  （５）
とする。なお、αはオークション会社が付与する付与率であり、任意の数値を与えることができる。
【００４３】
なお、加算金額Ｋを受信した例えば３桁の数値Ｉから、
〔数６〕
Ｋ＝Ｉ                                  （６）
としてもよい。
【００４４】
次に、ステップＳ７０では、上述したようにして算出した加算金額Ｋをユーザ端末１５に送信する。
【００４５】
次に、ステップＳ８０では、加算金額Ｋに、ステップＳ３０で受信した入札価格を加算して最終入札価格を求めて当該ユーザの最終入札価格とし、この最終入札価格をユーザ端末１５に送信する。
【００４６】
この結果、ユーザ端末１５のディスプレイには、図１２に示す操作表示画面７７にボーナスポイント（加算金額Ｋ）が表示される。そこで、「送信」のアイコン８３がクリックされた場合、図１３に示すような表示画面８５が表示される。
【００４７】
図１３に示すように、表示画面８５には、ユーザの名前、商品名（商品Ａ）、商品Ａの実勢価格、ユーザによる商品Ａの入札価格等に加え、「確認」アイコン８７が表示されている。
【００４８】
この表示画面８５はユーザにより視認され、「確認」アイコン８７がクリックされた場合、ユーザ端末１５から最終入札価格登録情報が主催サーバ１３に送信される。
【００４９】
そして、ステップＳ９０では、ユーザ端末１５から最終入札価格登録情報を受信した主催サーバ１３は、当該ユーザの最終入札価格をデータベースに記憶して登録する。
【００５０】
そして、ステップＳ１００では、例えば開催期間が経過した場合には、主催サーバ１３は落札処理を行う。ここで、主催サーバ１３は、開催期間が経過した商品Ａの最終入札価格を自サーバ１３に設けられたデータベースから全て読み出し、最終入札価格の中から上位の入札価格を品数分だけ選択し、該当する当選者の氏名を当選者テーブルに記憶する。また、落選者の氏名を落選者テーブルに記憶する。なお、同一金額の落札者が複数いる場合、入札時間の早い順に落札することとする。
【００５１】
そして、当選者テーブルおよび落選者テーブルから当選者および落札者の氏名をそれぞれ読み出し、当選者には当選通知情報、落選者には落選通知情報を含む電子メールを作成して、予め登録されている会員の電子メールアドレスに送信する。
【００５２】
この結果、図１４に示すように、ユーザ端末１５のディスプレイには表示画面８９が表示され、当該ユーザが商品Ａを落札したこと、落札価格、支払い価格、支払い方法、支払い回数、月々の金額、金利などの支払い条件が表示される。そこで、「確認」のアイコン９１がクリックされた場合、当選確認情報（図示しない）が主催サーバ１３へ送信される。
【００５３】
そして、ステップＳ１１０では、ユーザ端末１５から当選確認情報を受信した主催サーバ１３は、このユーザからの当選確認情報をデータベースに記憶し、さらに、決済機関へ商品Ａの代金として、加算金額を除く入札価格（支払い価格）の支払いを要求するための支払い要求情報を生成する。そして、主催サーバ１３は、この支払い要求情報を決済機関サーバ１７へ送信する。
【００５４】
主催サーバ１３から支払い要求情報を受信した決済機関サーバ１７は、この商品Ａの支払い代金を、ユーザに代わってユーザの口座からオークション会社の口座に振り込む。
【００５５】
このように、主催サーバ１３は、商品に関する入札内容をホームページに提示しておき、入札者のユーザ端末に商品の入札価格の入力を促し、入札者のユーザ端末から商品の入札価格を受信し、入札者のユーザ端末に乱数発生処理に関する操作を促し、入札者のユーザ端末から受信した操作情報に基づいて乱数を発生させ、この乱数に基づいて加算金額を算出し、算出された加算金額をオークションを行う際に入力される入札価格に加算し、加算された合計金額を最終入札価格として登録しておき、入札者の中から入札価格の高い順に落札処理を行い、落札時に、入札価格から加算金額を除いた支払金額の支払い要求を入札者が契約する決済機関の決済機関サーバに送信するので、提示された操作画面に対する入札者のスロット操作に起因して発生される予測不能数から加算金額を算出し、この加算金額を入札価格に加えて入札でき、落札時には入札価格から加算金額を除いた支払金額をオークション会社に支払うので、入札者は加算金額分を得するため、入札者の参加意欲の向上に寄与することができる。
【００５６】
（第２の実施の形態)
本発明の第２の実施の形態に係るオークションシステムの構成は、第１の実施の形態と同様に、図１に示すシステム、図２に示す主催サーバ１３に適用するものである。
【００５７】
次に、図１５に示すフローチャート、図１６に示すシーケンス図を参照して、主催サーバ１３の動作を中心に説明する。なお、図１５に示すフローチャートは主催サーバ１３に設けられたハードディスクＨＤに記憶された制御プログラムに従って制御部２９により動作するものである。
【００５８】
本実施の形態における特徴は、図３に示すフローチャートのステップＳ２０に代わって、図１５に示すようにステップＳ２１０を用い、さらに、ステップＳ３０とＳ４０の間にＳ２２０を挿入したことにある。  
すなわち、ユーザ端末１５から商品情報要求を受信した主催サーバ１３は、ステップＳ２１０では、ハードディスク２３に記憶されているデータベースから「ノートブック」に関する商品情報を検索して読み出し、「ノートブック」に関する入札内容を提示するためのページを生成し、ユーザ端末１５へ送信する。
【００５９】
そして、図１７には、「ノートブック」に関する各製造メーカの商品Ａ〜Ｄに関して、実勢価格、限定数、最低入札価格に加えて、入札申込手数料などが表示される。そこで、「商品Ａ」のアイコン５１がクリックされた場合、選択表示ボタン５３の表示色が反転し、図１８に示す次の表示画面９５に移行する。
【００６０】
図１８には、「ノートブック」の商品Ａに関する写真、商品説明、商品紹介、販売店のアフターサービス等の情報に加え、当該商品Ａの実勢価格、最低入札価格、限定数、さらに１回の入札申込手数料等の情報が表示されている。
【００６１】
ここで、「今すぐ入札！！」のアイコン５７がクリックされた場合、選択表示ボタン５９の表示色が反転し、図１９に示す次の表示画面６１に移行する。
【００６２】
図１９には、ユーザが選択した「ノートブック」の商品Ａに関する写真、当該商品の実勢価格、最低入札価格、限定数、さらに１回の入札申込手数料等等の情報に加え、パスワード入力エリア６５、入札価格入力エリア６３、支払い方法として「現金一括」エリア６７と「ローン」エリア６９、「スロットボーナスへ」アイコン７１が表示されている。なお、パスワードは、ユーザ登録時に主催サーバから付与された個々のユーザに固有の認証番号であり、ここでは、パスワードが予め主催サーバから付与されたこととして説明する。
【００６３】
そこで、ユーザの操作により入札申込情報として、パスワード入力エリア６５に上述したパスワードが入力され、引き続き、入札価格入力エリア６３に入札価格が入力され、さらに、支払い方法として「現金一括」又は「ローン」が入力されて「スロットボーナスへ」アイコン７１がクリックされた場合、図１１に示す次の表示画面７３に移行する。なお、商品に対する同一入札者から例えば３回数までの入札の受け付けを許可することとする。この時、ユーザ端末１５から「商品Ａ」に関する入札申込情報が主催サーバ１３へ送信される。
【００６４】
そして、ステップＳ２２０では、ユーザ端末１５から入札申込情報を受信した主催サーバ１３は、このユーザからの入札申込情報をデータベースに記憶し、さらに、決済機関へ１回の入札申込手数料の支払いを要求するための手数料入金要求情報を生成する。そして、主催サーバ１３は、この手数料入金要求情報を決済機関サーバ１７へ送信する。
【００６５】
主催サーバ１３から手数料入金要求情報を受信した決済機関サーバ１７は、この１回の入札手数料を、ユーザに代わってユーザの口座からオークション会社の口座に振り込む。
以下、ステップＳ４０以降の各ステップの処理内容は、第１の実施の形態において説明した内容と同様であるので、その説明を省略する。
【００６６】
このように、主催サーバ１３は、商品に関する入札内容と入札手数料をホームページに提示しておき、入札者のユーザ端末に商品の入札価格の入力を促し、入札者のユーザ端末から商品の入札価格を受信し、入札者のユーザ端末から商品に関する入札価格が入力された場合には、当該入札者が加入する決済機関からオークション主催者の口座に入札申込手数料の支払いを要求し、入札者のユーザ端末に乱数発生処理に関する操作を促し、入札者のユーザ端末から受信した操作情報に基づいて乱数を発生させ、この乱数に基づいて加算金額を算出し、算出された加算金額をオークションを行う際に入力される入札価格に加算し、加算された合計金額を最終入札価格として登録しておき、入札者の中から入札価格の高い順に落札処理を行い、落札時に、入札価格から加算金額を除いた支払金額の支払い要求を入札者が契約する決済機関の決済機関サーバに送信するので、提示された操作画面に対する入札者のスロット操作に起因して発生される予測不能数から加算金額を算出し、この加算金額を入札価格に加えて入札でき、落札時には入札価格から加算金額を除いた支払金額をオークション会社に支払うので、入札者は加算金額分を得するため、入札者の参加意欲の向上に寄与することができる。
【００６７】
（第３の実施の形態）
本発明の第３の実施の形態に係るオークションシステムの構成は、第１の実施の形態と同様に、図１に示すシステム、図２に示す主催サーバ１３に適用するものである。  
次に、図２０に示すフローチャート、図２１に示すシーケンス図を参照して、主催サーバ１３の動作を中心に説明する。なお、図２０に示すフローチャートは主催サーバ１３に設けられたハードディスクＨＤに記憶された制御プログラムに従って制御部２９により動作するものである。
【００６８】
本実施の形態における特徴は、図３に示すフローチャートのステップＳ３０とＳ４０の間に、Ｓ３１０とＳ３２０を挿入したことにある。
【００６９】
ユーザ端末１５から入札申込情報を受信した主催サーバ１３は、ステップＳ３０では、この入札申込情報をハードディスク２３のデータベースに一旦記憶しておく。そして、主催サーバ１３は、ステップＳ３１０では、このユーザに対してボーナスポイントを与えるかどうかを確認するために、アンケート回答要求情報を含む表示画面とアンケート画面を生成し、ユーザ端末１５へ送信する。
【００７０】
この結果、ユーザ端末１５のディスプレイには、図２２に示すような表示画面９９が表示される。この表示画面９９には、「メーカのアンケートに答えるとボーナス・スロットが回り、入札価格に加算される」ことが記載されており、ユーザにアンケートの回答を促している。  
そこで、「回答する」のアイコン１０３がクリックされた場合、ユーザ端末１５からアンケート回答同意情報が主催サーバ１３へ送信される。一方、「回答しない」のアイコン１０５がクリックされた場合、ユーザ端末１５からアンケート回答拒否情報が主催サーバ１３へ送信される。
【００７１】
ここで、主催サーバ１３は、ステップＳ３２０では、ユーザ端末１５からアンケート回答同意情報を受信したかどうかを判断する。アンケート回答同意情報を受信した場合には、アンケート回答表示画面をユーザ端末１５に送信する。
【００７２】
この結果、ユーザ端末１５のディスプレイには、図２３に示すアンケート回答表示画面１０７が表示される。ユーザがアンケート事項の回答を終了し、「スロットボーナスへ」アイコン１０９がクリックされた場合、図１２に示す次の操作表示画面７７に移行する。一方、アンケート回答拒否情報を受信した場合には、ステップＳ９０に進む。  
以下、ステップＳ４０またはＳ９０以降の各ステップの処理内容は、第１の実施の形態において説明した内容と同様であるので、その説明を省略する。
【００７３】
このように、ユーザ端末からアンケートに回答することに同意するアンケート回答同意情報を受信した場合に、乱数発生処理に関する操作を促すステップＳ４０に移行することで、アンケートに回答することに同意した入札者に対してのみ、入札者のスロット操作に起因して与えられる加算金額を入札価格に加えて入札できるという特典を受けることができる。さらに、落札時には入札価格から加算金額を除いた支払金額をオークション会社に支払うので、入札者は加算金額分を得するため、入札者の参加意欲の向上に寄与することができる。
【００７４】
（第４の実施の形態）
本発明の第４の実施の形態に係るオークションシステムの構成は、第１の実施の形態と同様に、図１に示すシステム、図２に示す主催サーバ１３に適用するものである。  
次に、図２４に示すフローチャート、図２５に示すシーケンス図を参照して、主催サーバ１３の動作を中心に説明する。なお、図２４に示すフローチャートは主催サーバ１３に設けられたハードディスクＨＤに記憶された制御プログラムに従って制御部２９により動作するものである。
【００７５】
本実施の形態における特徴は、図３に示すフローチャートのステップＳ３０とＳ４０の間に、Ｓ４１０とＳ４２０を挿入したことにある。
【００７６】
ユーザ端末１５から入札申込情報を受信した主催サーバ１３は、ステップＳ３０では、この入札申込情報をハードディスク２３のデータベースに一旦記憶しておく。そして、主催サーバ１３は、ステップＳ４１０では、このユーザに対してボーナスポイントを与えるかどうかを確認するために、電子広告メール受信要求情報を含む表示画面と電子広告メールを生成し、ユーザ端末１５へ送信する。
【００７７】
この結果、ユーザ端末１５のディスプレイには、図２６に示すような表示画面１１１が表示される。この表示画面１１１には、「メーカの電子広告メールを受信するとボーナス・スロットが回り、入札価格に加点される」ことが記載されており、ユーザに電子広告メールの受信を促している。
【００７８】
そこで、「受信する」のアイコン１１５がクリックされた場合、ユーザ端末１５から電子広告メール受信同意情報が主催サーバ１３へ送信される。一方、「受信しない」のアイコン１１７がクリックされた場合、ユーザ端末１５から電子広告メール受信拒否情報が主催サーバ１３へ送信される。
【００７９】
ここで、主催サーバ１３は、ステップＳ４２０では、ユーザ端末１５から電子広告メール受信同意情報を受信したかどうかを判断する。電子広告メール受信同意情報を受信した場合には、電子広告メールをユーザ端末１５に送信する。
【００８０】
この結果、ユーザ端末１５のディスプレイには、図２７に示す電子広告メールの表示画面１１９が表示される。ユーザが電子広告メールの閲覧を終了し、「スロットボーナスへ」アイコン１２１がクリックされた場合、図１２に示す次の操作表示画面７７に移行する。一方、電子広告メール受信拒否情報を受信した場合には、ステップＳ９０に進む。  
以下、ステップＳ４０またはＳ９０以降の各ステップの処理内容は、第１の実施の形態において説明した内容と同様であるので、その説明を省略する。
【００８１】
このように、ユーザ端末から電子広告メールを受信することに同意する電子広告メール受信同意情報を受信した場合に、乱数発生処理に関する操作を促すステップＳ４０に移行することで、電子広告メールを受信することに同意した入札者に対してのみ、入札者のスロット操作に起因して与えられる加算金額を入札価格に加えて入札できるという特典を受けることができる。さらに、落札時には入札価格から加算金額を除いた支払金額をオークション会社に支払うので、入札者は加算金額分を得するため、入札者の参加意欲の向上に寄与することができる。
【００８２】
（第５の実施の形態）
本発明の第５の実施の形態に係るオークションシステムの構成は、第１の実施の形態と同様に、図１に示すシステム、図２に示す主催サーバ１３に適用するものである。  
次に、図２８に示すフローチャート、図２９に示すシーケンス図を参照して、主催サーバ１３の動作を中心に説明する。なお、図２８に示すフローチャートは主催サーバ１３に設けられたハードディスクＨＤに記憶された制御プログラムに従って制御部２９により動作するものである。  
本実施の形態における特徴は、図１５に示すフローチャートのステップＳ２２０とＳ４０の間に、Ｓ５１０とＳ５２０を挿入したことにある。また、図２８に示すステップＳ５１０とＳ５２０の説明は、図２０に示すＳ３１０とＳ３２０の説明と同様であるので、その説明を省略する。
【００８３】
このように、入札手数料を徴収する商品のオークションにおいて、ユーザ端末からアンケートに回答することに同意するアンケート回答同意情報を受信した場合に、乱数発生処理に関する操作を促すステップＳ４０に移行することで、アンケートに回答することに同意した入札者に対してのみ、入札者のスロット操作に起因して与えられる加算金額を入札価格に加えて入札できるという特典を受けることができる。さらに、落札時には入札価格から加算金額を除いた支払金額をオークション会社に支払うので、入札者は加算金額分を得するため、入札者の参加意欲の向上に寄与することができる。
【００８４】
（第６の実施の形態）
本発明の第６の実施の形態に係るオークションシステムの構成は、第１の実施の形態と同様に、図１に示すシステム、図２に示す主催サーバ１３に適用するものである。  
次に、図３０に示すフローチャート、図３１に示すシーケンス図を参照して、主催サーバ１３の動作を中心に説明する。なお、図３０に示すフローチャートは主催サーバ１３に設けられたハードディスクＨＤに記憶された制御プログラムに従って制御部２９により動作するものである。  
本実施の形態における特徴は、図１５に示すフローチャートのステップＳ２２０とＳ４０の間に、Ｓ６１０とＳ６２０を挿入したことにある。また、図３０に示すステップＳ６１０とＳ６２０の説明は、図２４に示すＳ４１０とＳ４２０の説明と同様であるので、その説明を省略する。
【００８５】
このように、入札手数料を徴収する商品のオークションにおいて、ユーザ端末から電子広告メールを受信することに同意する電子広告メール受信同意情報を受信した場合に、乱数発生処理に関する操作を促すステップＳ４０に移行することで、電子広告メールを受信することに同意した入札者に対してのみ、入札者のスロット操作に起因して与えられる加算金額を入札価格に加えて入札できるという特典を受けることができる。さらに、落札時には入札価格から加算金額を除いた支払金額をオークション会社に支払うので、入札者は加算金額分を得するため、入札者の参加意欲の向上に寄与することができる。
【００８６】
なお、本実施の形態においては、入札者のユーザ端末に乱数発生処理に関する操作を促して入札者のユーザ端末から受信した操作情報に基づいて乱数を発生させてこの乱数に基づいて加算金額を算出するようにして、入札者の参加意欲の向上に寄与していたが、本発明はこのような場合に限定することなく、以下のような場合にも同様の効果を得ることができる。
【００８７】
（１）スロットマシーンゲームは、ユーザ端末にスロットマシーンの操作画面を提示しておき、主催サーバはユーザ端末からの操作情報を受信し、この操作情報に応じて少なくとも１桁以上の予測不能数を発生させ、その発生した数値に基づいて加算金額を算出するものである。
【００８８】
（２）ルーレットゲームは、ユーザ端末にルーレットの操作画面を提供しておき、主催サーバはユーザ端末から偶数・奇数、赤色・黒色、分類された数字のカテゴリー、特定の数字などの操作情報を受信し、この操作情報に応じて発生させられた予測不能数に基づいて加算金額を算出するものである。
【００８９】
（３） ダイス(サイコロ)ゲームは、ユーザ端末ダイス操作画面を提供しておき、主催サーバはユーザ端末からの少なくとも１つの以上のダイスを画面上で振った結果として操作情報を受信し、少なくとも１桁以上の数からなる操作情報に応じて予測不能数を発生させられた予測不能数に基づいて加算金額を算出するものである。
【００９０】
（４） カードゲーム(カードめくりゲーム)は、ユーザ端末にカードめくりゲームの操作画面として、複数の伏せた状態のカードを所定回数ランダムにめくるような操作画面を提示しておき、主催サーバはユーザ端末からの前記カードをめくった結果として現れた所定の数値・記号・模様などの操作情報を受信し、この操作情報に応じて発生させられた予測不能数に基づいて加算金額を算出するものである。
【００９１】
（５） カードゲーム(カード合わせゲーム)は、ユーザ端末にカード合わせゲームの操作画面として、少なくとも１枚以上のユーザ手持ちのカードに対して、複数の伏せられたカードをランダムに所定回数めくらせて手持ちカードの数値・記号・模様と一致ないしは組み合わせを図るようにした操作画面を提示しておき、主催サーバはユーザ端末からの前記ユーザの操作によって発生させられた結果として現れた所定の数値・記号・模様などの操作情報を受信し、この操作情報に応じて発生させられた予測不能数に基づいて加算金額を算出するものである。このようなカードゲームとしては、例えば、マージャン、花札、トランプなどがある。
【００９２】
（６）阿弥陀くじは、ユーザ端末に阿弥陀くじの操作画面を提供しておき、主催サーバはユーザ端末からの前記ユーザの操作によって指定されたくじの位置から辿り着いた数値あるいは記号などの操作情報を受信し、この操作情報に応じて発生させられた予測不能数に基づいて加算金額を算出するものである。
【００９３】
（７）ジャンケンは、ユーザ端末にジャンケンの操作画面を提供しておき、主催サーバはユーザ端末からのジャンケンの勝敗結果及びその回数などの操作情報を受信し、この操作情報に応じて発生させられた予測不能数に基づいて加算金額を算出するものである。
【００９４】
（８）コイン投げ(裏表)ゲームは、ユーザ端末にコイン投げの操作画面を提供しておき、主催サーバはユーザ端末からのコイン投げの裏表及びその回数などの操作情報を受信し、この操作情報に応じて発生させられた予測不能数に基づいて加算金額を算出するものである。
【００９５】
（９）スマートボールゲームは、ユーザ端末にスマートボールの操作画面として、画面上に表示したボール打撃装置を使用してボールを複数の異なるポイントゾーンへ導くような操作の結果発生したボールの到達したポイントゾーンの数値を操作情報として受信し、この操作情報に応じて発生させられた予測不能数に基づいて加算金額を算出するものである。
【００９６】
（第７の実施の形態）
本発明の第７の実施の形態に係るオークションシステムの構成は、第１の実施の形態と同様に、図１に示すシステム、図２に示す主催サーバ１３に適用するものである。
【００９７】
次に、図３２に示すフローチャート、図３３に示すシーケンス図を参照して、主催サーバ１３の動作を中心に説明する。なお、図３２に示すフローチャートは主催サーバ１３に設けられたハードディスクＨＤに記憶された制御プログラムに従って制御部２９により動作するものである。
【００９８】
ここで、ステップＳ１０では、インターネット１１を介してユーザ端末１５と接続された主催サーバ１３は、ユーザからのホームページ要求に応じて予め記憶されているホームページの情報を読み出してインターネット１１を介してユーザ端末１５に送信する。この結果、ユーザ端末１５には、図５に示すようなホームページのトップ画面（表示画面３１）が表示される。
【００９９】
そこで、ユーザが「コンピュータ」のアイコン３３をマウスを用いてクリックした場合、選択表示ボタン３５の表示色が反転して当該アイコンが選択されたことが示され、図６に示す次の表示画面３７へ移行する。そこで、「ハードウェア」のアイコン３９がクリックされた場合、図７に示す次の表示画面４３に移行する。そこで、「ノートブック」のアイコン４５がクリックされた場合、選択表示ボタン４７の表示色が反転し、図８に示す次の表示画面４９に移行する。
【０１００】
この時、ユーザ端末１５から「ノートブック」に関する商品情報を要求するための商品情報要求（図示しない）が主催サーバ１３へ送信される。ユーザ端末１５から商品情報要求を受信した主催サーバ１３は、ステップＳ２１０では、ハードディスク２３に記憶されているデータベースから「ノートブック」に関する商品情報を検索して読み出し、「ノートブック」に関する入札内容を提示するためのページを生成し、ユーザ端末１５へ送信する。
【０１０１】
そして、図１７には、「ノートブック」に関する各製造メーカの商品Ａ〜Ｄに関して、実勢価格、限定数、最低入札価格に加えて、入札申込手数料などが表示される。そこで、「商品Ａ」のアイコン５１がクリックされた場合、選択表示ボタン５３の表示色が反転し、図１８に示す次の表示画面９５に移行する。
【０１０２】
図１８には、「ノートブック」の商品Ａに関する写真、商品説明、商品紹介、販売店のアフターサービス等の情報に加え、当該商品Ａの実勢価格、最低入札価格、限定数、さらに１回の入札申込手数料等の情報が表示されている。
【０１０３】
ここで、図１８に示す「今すぐ入札！！」のアイコン５７がクリックされた場合、図１９に示す次の表示画面９７に移行する。
【０１０４】
そこで、ユーザの操作により入札申込情報として、パスワード入力エリア６５に上述したパスワードが入力され、引き続き、入札価格入力エリア６３に入札価格が入力され、さらに、支払い方法として「現金一括」又は「ローン」が入力されて「スロットボーナスへ」アイコン７１がクリックされた場合、図３４に示す次の表示画面２０１に移行する。この時、ユーザ端末１５から「商品Ａ」に関する入札申込情報が主催サーバ１３へ送信される。
【０１０５】
ユーザ端末１５から入札申込情報を受信した主催サーバ１３は、ステップＳ３０では、この入札申込情報をハードディスク２３のデータベースに一旦記憶しておく。
【０１０６】
ステップＳ２２０では、ユーザ端末１５から入札申込情報を受信した主催サーバ１３は、このユーザからの入札申込情報をデータベースに記憶し、さらに、決済機関へ１回の入札申込手数料の支払いを要求するための手数料入金要求情報を生成する。そして、主催サーバ１３は、この手数料入金要求情報を決済機関サーバ１７へ送信する。
【０１０７】
主催サーバ１３から手数料入金要求情報を受信した決済機関サーバ１７は、この１回の入札手数料を、ユーザに代わってユーザの口座からオークション会社の口座に振り込む。
【０１０８】
そして、主催サーバ１３は、ステップＳ７４０では、このユーザに対してボーナスポイントを与えるために、ボーナススロットの小画面を備えた乱数発生処理画面（２０１，２０３）を生成し、ユーザ端末１５へ送信する。
【０１０９】
この結果、ユーザ端末１５のディスプレイには、図３４に示すような表示画面２０１が表示される。なお、表示画面２０１には、スロットＮＯに応じてボーナスポイントが算出され、落札した際に、支払金額が減額されることが記載されている。
【０１１０】
そこで、「スロット操作へ」のアイコン７５がクリックされた場合、図３５に示す操作表示画面２０３に移行する。
【０１１１】
ここで、図３５に示す操作表示画面２０３について説明する。
【０１１２】
操作表示画面２０３には、予め例えば３桁の１０進数がカウンタ表示部８１に表示されており、ユーザの操作によりスタートボタン７９がクリックされた場合、カウンタ表示部８１に表示されている各桁の１０進数がそれぞれ独自にカウントを開始する。また、任意の表示桁エリアが、クリックされたときにはカウント動作が停止し、クリック時点での数値が表示される。
【０１１３】
まず、操作表示画面２０３を視認しているユーザが、スタートボタン７９をクリックすると、カウンタ表示部８１に表示されている各桁の１０進数がそれぞれ独自にカウントを開始する。そこで、任意の表示桁エリアにカーソルを移動し、クリックしてカウント動作を停止させ、同様に、全ての表示桁のカウントを停止させる。ここで、操作表示画面２０３に表示されている「送信」アイコン８３がクリックされた場合、例えば３桁の数値を含む乱数発生操作情報としてユーザ端末１５から主催サーバ１３に送信される。
【０１１４】
ステップＳ７５０では、主催サーバ１３は、ユーザ端末１５から乱数発生操作情報を受信する。  
そして、ステップＳ７６０では、ユーザ端末１５から受信した乱数発生操作情報に含まれる例えば３桁の数値に基づいて、乱数発生処理を行って予測不能数となる乱数値を算出する。  
すなわち、受信した例えば３桁の数値Ｉを入力値とした乱数値Ｒを、周知の乱数関数randomにより、
〔数７〕
Ｒ＝Math.ceil（Math.random ＊ （Ｉ））  （７）
に従って求めると、1〜Ｉまでの整数の乱数値が求まる。
【０１１５】
なお、乱数発生処理のアルゴリズムに関しは他の周知の手法を用いてもよい。
【０１１６】
また、受信した例えば３桁の数値Ｉをそのまま入力値とした乱数値Ｒとし、
〔数８〕
Ｒ＝Ｉ                                  （８）
てもよい。
【０１１７】
次に、減算金額を以下のようにして算出する。  
ここで、商品の実勢価格Ｊ、最低入札価格Ｎmin 、入札価格Ｎ、減算金額Ｋから、入札価格Ｎと減算金額Ｋの関係条件を求めると、
〔数９〕
Ｎmin ≦ Ｎ−Ｋ ≦ Ｊ                    （９）
となり、さらに、減算金額Ｋの範囲を求めると、
〔数１０〕
｜Ｋ｜ ≦ Ｊ−Ｎ                       （１０）
となる。ここで、乱数値Ｒを加味して減算金額Ｋを求める式を、
〔数１１〕
Ｋ＝Ｒ＊（1／1000）＊α＊（Ｊ−Ｎ）
０．０１ ≦α≦ ０．９                （１１）
とする。なお、αはオークション会社が付与する付与率であり、任意の数値を与えることができる。
【０１１８】
なお、減算金額Ｋを受信した例えば３桁の数値Ｉから、
〔数１２〕
Ｋ＝Ｉ                                （１２）
としてもよい。
【０１１９】
次に、ステップＳ７７０では、上述したようにして算出した減算金額Ｋをユーザ端末１５に送信する。  
次に、ステップＳ７８０では、ステップＳ３０で受信した入札価格から減算金額Ｋを減算して当該ユーザの支払金額とし、この支払金額をユーザ端末１５に送信する。
【０１２０】
この結果、ユーザ端末１５のディスプレイには、図３５に示す操作表示画面２０３にボーナスポイント（減算金額Ｋ）が表示され、さらに、登録されている入札価格からこのボーナスポイント（減算金額Ｋ）を減算した結果となる支払金額が表示される。そこで、「送信」のアイコン８３がクリックされた場合、図３６に示すような表示画面２０５が表示される。
【０１２１】
図３６に示すように、表示画面２０５には、ユーザの名前、商品名（商品Ａ）、商品Ａの実勢価格、ユーザによる商品Ａの入札価格等に加え、「確認」アイコン８７が表示されている。
【０１２２】
この表示画面８５はユーザにより視認され、「確認」アイコン８７がクリックされた場合、ユーザ端末１５から入札価格登録情報が主催サーバ１３に送信される。
【０１２３】
そして、ステップＳ８００では、例えば開催期間が経過した場合には、主催サーバ１３は落札処理を行う。ここで、主催サーバ１３は、開催期間が経過した商品Ａの入札価格を自サーバ１３に設けられたデータベースから全て読み出し、入札価格の中から上位の入札価格を品数分だけ選択し、該当する当選者の氏名を当選者テーブルに記憶する。また、落選者の氏名を落選者テーブルに記憶する。なお、同一金額の落札者が複数いる場合、入札時間の早い順に落札することとする。
【０１２４】
そして、ステップＳ８０５では、少なくとも落札された商品の商品名、入札者の所在エリア、ニックネームおよび入札番号を含む落札結果を表す電子掲示板を生成するとともに、落札された商品の落札価格を当該電子掲示板には非開示とする。
【０１２５】
さらに、当選者テーブルおよび落選者テーブルから当選者および落札者の氏名をそれぞれ読み出し、当選者には当選通知情報、落選者には落選通知情報を含む電子メールを作成して、予め登録されている会員の電子メールアドレスに当落通知情報として送信する。  
この結果、図３７に示すように、ユーザ端末１５のディスプレイには表示画面２０７が表示され、当該ユーザが商品Ａを落札したこと、落札価格、支払金額、支払い方法、支払い回数、月々の金額、金利などの支払い条件が表示される。そこで、「確認」のアイコン９１がクリックされた場合、当選確認情報（図示しない）が主催サーバ１３へ送信される。
【０１２６】
そして、ステップＳ８１０では、ユーザ端末１５から当選確認情報を受信した主催サーバ１３は、このユーザからの当選確認情報をデータベースに記憶し、さらに、決済機関へ商品Ａの代金として、入札価格から減算金額を除いた支払金額の支払いを要求するための支払い要求情報を生成する。そして、主催サーバ１３は、この支払い要求情報を決済機関サーバ１７へ送信する。
【０１２７】
主催サーバ１３から支払い要求情報を受信した決済機関サーバ１７は、この商品Ａの支払金額を、ユーザに代わってユーザの口座からオークション会社の口座に振り込む。
【０１２８】
なお、ステップＳ８０５において、落選者のユーザ端末１５に送信された落選通知情報は、図３８に示すように、落選者の名前と、商品Ａを落札できなかったことを表す文章と、落札結果を表す「掲示板」へのアイコン２１１が表示されている。このアイコン２１１には、リンク先に掲示板のＵＲＬアドレスが設定されている。また、落札結果を表す「掲示板」のＵＲＬアドレス２１３を直接に表示しておいてもよい。
【０１２９】
そこで、ユーザ端末１５からこの「掲示板」アイコン２１１がクリックされた場合には、ＷＷＷブラウザが起動され、さらに、オークション会社の掲示板のＵＲＬアドレスが指定されてＷＷＷブラウザからインターネット１１への送信を開始する。この結果、プロバイダを経由して主催サーバ１３の通信処理部２１に接続される。主催サーバ１３は、ユーザからの掲示板要求に応じて予め記憶されている掲示板の情報を読み出してインターネット１１を介してユーザ端末１５に送信する。この結果、ユーザ端末１５には、図３９に示すような掲示板２１５が表示される。  
または、図３８に示すＵＲＬアドレス２１３がクリックされた場合にも、上述したように、図３９に示すような掲示板２１５が表示される。
【０１３０】
このように、主催サーバ１３は、商品に関する入札内容と入札手数料をホームページに提示しておき、入札者のユーザ端末から商品の入札価格を受信し、入札者のユーザ端末から受信した商品の入札価格を登録し、入札者のユーザ端末に操作画面を提示して操作を促し、入札者のユーザ端末から操作情報を受信し、受信した操作情報に基づいて、予測不能数を発生させ、この予測不能数に基づいて減算金額を算出し、登録されている入札価格からこの減算金額を減算して支払金額とし、入札者のユーザ端末に商品の入札価格と減算金額および支払金額を提示し、落札時に、この支払金額の支払い要求を入札者が契約する決済機関に送信するので、提示された操作画面に対する入札者のスロット操作に起因して発生される予測不能数から減算金額を算出し、入札価格からこの減算金額を差し引いた支払金額を求め、落札時には、この支払金額をオークション会社に支払うので、入札者は減算金額分を得するため、入札者の参加意欲の向上に寄与することができる。
【０１３１】
また、落札時に、少なくとも落札された商品の商品名、入札者の所在エリア、ニックネームおよび入札番号を含む落札結果を表す電子掲示板を生成するとともに、落札された商品の落札価格を当該電子掲示板には非開示とするので、次回の入札時での入札価格が急上昇することがなくなるので、入札者の参加意欲の向上に寄与することができる。
【０１３２】
（第８の実施の形態）
本発明の第８の実施の形態に係るオークションシステムの構成は、第１の実施の形態と同様に、図１に示すシステム、図２に示す主催サーバ１３に適用するものである。
【０１３３】
次に、図４０に示すフローチャート、図４１に示すシーケンス図を参照して、主催サーバ１３の動作を中心に説明する。なお、図４０に示すフローチャートは主催サーバ１３に設けられたハードディスクＨＤに記憶された制御プログラムに従って制御部２９により動作するものである。
【０１３４】
本実施の形態における特徴は、図４０に示すように、図３２に示すフローチャートの一部をステップＳ９０５、Ｓ９１０〜Ｓ９３０に置き換えたことにある。なお、図３２に示すステップと同様のステップの説明を省略する。
【０１３５】
主催サーバ１３は、ステップＳ９０５では、このユーザに対してボーナスポイントを与えるために、ボーナススロットの小画面を備えた乱数発生処理画面（２０１，３０１）を生成し、ユーザ端末１５へ送信する。
【０１３６】
この結果、ユーザ端末１５のディスプレイには、図３４に示すような表示画面２０１が表示される。なお、表示画面２０１には、スロットＮＯに応じてボーナスポイントが算出され、落札した際に、支払金額が減額されることが記載されている。
【０１３７】
そこで、「スロット操作へ」のアイコン７５がクリックされた場合、図４２に示す操作表示画面３０１に移行する。  
ここで、図４２に示す操作表示画面３０１について説明する。
【０１３８】
操作表示画面３０１には、予め例えば３桁の１０進数がカウンタ表示部８１に表示されており、ユーザの操作によりスタートボタン７９がクリックされた場合、カウンタ表示部８１に表示されている各桁の１０進数がそれぞれ独自にカウントを開始する。また、任意の表示桁エリアが、クリックされたときにはカウント動作が停止し、クリック時点での数値が表示される。
【０１３９】
まず、操作表示画面３０１を視認しているユーザが、スタートボタン７９をクリックすると、カウンタ表示部８１に表示されている各桁の１０進数がそれぞれ独自にカウントを開始する。そこで、任意の表示桁エリアにカーソルを移動し、クリックしてカウント動作を停止させ、同様に、全ての表示桁のカウントを停止させる。
【０１４０】
ここで、操作表示画面３０１に表示されている「送信」アイコン８３がクリックされた場合、例えば３桁の数値を含む乱数発生操作情報としてユーザ端末１５から主催サーバ１３に送信される。
【０１４１】
そこで、「送信」のアイコン８３がクリックされた場合、図３６に示すような表示画面２０５が表示される。
【０１４２】
図３６に示すように、表示画面２０５には、ユーザの名前、商品名（商品Ａ）、商品Ａの実勢価格、ユーザによる商品Ａの入札価格等に加え、「確認」アイコン８７が表示されている。  
この表示画面８５はユーザにより視認され、「確認」アイコン８７がクリックされた場合、ユーザ端末１５から入札価格登録情報が主催サーバ１３に送信される。
【０１４３】
次に、ステップＳ７５０およびＳ７６０の処理内容は、第７の実施の形態において説明した内容と同様であるので、その説明を省略する。
【０１４４】
そして、ステップＳ９１０では、例えば開催期間が経過した場合には、主催サーバ１３は落札処理を行う。ここで、主催サーバ１３は、開催期間が経過した商品Ａの入札価格を自サーバ１３に設けられたデータベースから全て読み出し、入札価格の中から上位の入札価格を品数分だけ選択し、該当する当選者の氏名を当選者テーブルに記憶する。また、落選者の氏名を落選者テーブルに記憶する。なお、同一金額の落札者が複数いる場合、入札時間の早い順に落札することとする。
【０１４５】
次に、ステップＳ９２０では、ステップＳ３０で受信した入札価格から減算金額Ｋを減算して当該ユーザの支払金額を算出する。  
そして、ステップＳ９３０では、少なくとも落札された商品の商品名、入札者の所在エリア、ニックネームおよび入札番号を含む落札結果を表す電子掲示板を生成するとともに、落札された商品の落札価格を当該電子掲示板には非開示とする。
【０１４６】
さらに、当選者テーブルおよび落選者テーブルから当選者および落札者の氏名をそれぞれ読み出し、当選者には当選通知情報、落選者には落選通知情報を含む電子メールを作成して、予め登録されている会員の電子メールアドレスに当落通知情報として送信する。  
この結果、図３７に示すように、ユーザ端末１５のディスプレイには表示画面２０７が表示され、当該ユーザが商品Ａを落札したこと、落札価格、支払金額、支払い方法、支払い回数、月々の金額、金利などの支払い条件が表示される。そこで、「確認」のアイコン９１がクリックされた場合、当選確認情報（図示しない）が主催サーバ１３へ送信される。
【０１４７】
なお、ステップＳ９３０において、落選者のユーザ端末１５に送信された落選通知情報は、図３８に示すように、落選者の名前と、商品Ａを落札できなかったことを表す文章と、落札結果を表す「掲示板」へのアイコン２１１が表示されている。このアイコン２１１には、リンク先に掲示板のＵＲＬアドレスが設定されている。また、落札結果を表す「掲示板」のＵＲＬアドレス２１３を直接に表示しておいてもよい。
【０１４８】
そこで、ユーザ端末１５からこの「掲示板」アイコン２１１がクリックされた場合には、ＷＷＷブラウザが起動され、さらに、オークション会社の掲示板のＵＲＬアドレスが指定されてＷＷＷブラウザからインターネット１１への送信を開始する。この結果、プロバイダを経由して主催サーバ１３の通信処理部２１に接続される。主催サーバ１３は、ユーザからの掲示板要求に応じて予め記憶されている掲示板の情報を読み出してインターネット１１を介してユーザ端末１５に送信する。この結果、ユーザ端末１５には、図３９に示すような掲示板２１５が表示される。
【０１４９】
または、図３８に示すＵＲＬアドレス２１３がクリックされた場合にも、上述したように、図３９に示すような掲示板２１５が表示される。
【０１５０】
このように、主催サーバ１３は、商品に関する入札内容をホームページに提示しておき、入札者のユーザ端末から商品の入札価格を受信し、入札者のユーザ端末から受信した商品の入札価格を登録し、入札者のユーザ端末に操作画面を提示して操作を促し、入札者のユーザ端末から受信した操作情報操作情報に基づいて、予測不能数を発生させ、落札時に、この予測不能数に基づいて減算金額を算出し、登録されている入札価格からこの減算金額を減算して支払金額とし、入札者のユーザ端末に商品の入札価格と減算金額および支払金額を提示し、この支払金額の支払い要求を入札者が契約する決済機関に送信するので、提示された操作画面に対する入札者のスロット操作に起因して発生される予測不能数から減算金額を算出し、入札価格からこの減算金額を差し引いた支払金額を求め、落札時には、この支払金額をオークション会社に支払うので、入札者は減算金額分を得するため、入札者の参加意欲の向上に寄与することができる。
【０１５１】
また、落札時に、少なくとも落札された商品の商品名、入札者の所在エリア、ニックネームおよび入札番号を含む落札結果を表す電子掲示板を生成するとともに、落札された商品の落札価格を当該電子掲示板には非開示とするので、次回の入札時での入札価格が急上昇することがなくなるので、入札者の参加意欲の向上に寄与することができる。
【０１５２】
請求項１記載の発明によれば、入札者の通信端末と情報ネットワークを介して接続し、商品に関する入札内容をホームページに提示して商品のオークションを提供するサーバを備えたオークションシステムであって、このサーバは、入札者の通信端末から商品の入札価格を受信し、入札者の通信端末から受信した商品の入札価格を登録しておき、入札者の通信端末に所定の操作画面を提示して所定の操作を促し、入札者の通信端末から受信した操作情報に基づいて、予測不能数を発生させ、この予測不能数に基づいて減算金額を算出し、登録されている入札価格からこの減算金額を減算して支払金額とし、入札者の通信端末に商品の入札価格と減算金額および支払金額を提示し、落札時に、この支払金額の支払い要求を入札者が契約する決済機関に送信するので、提示された所定の操作画面に対する入札者の操作に起因して発生される予測不能数から減算金額を算出し、入札価格からこの減算金額を差し引いた支払金額を求め、落札時には、この支払金額をオークション会社に支払うことができ、入札者は減算金額分を得するため、入札者の参加意欲の向上に寄与することができる。
【０１５３】
請求項２記載の発明によれば、入札者の通信端末と情報ネットワークを介して接続し、商品に関する入札内容をホームページに提示して商品のオークションを提供するサーバを備えたオークションシステムであって、このサーバは、入札者の通信端末から商品の入札価格を受信し、入札者の通信端末から受信した商品の入札価格を登録しておき、入札者の通信端末に所定の操作画面を提示して所定の操作を促し、入札者の通信端末から受信した操作情報に基づいて、予測不能数を発生させ、落札時に、この予測不能数に基づいて減算金額を算出し、登録されている入札価格からこの減算金額を減算して支払金額とし、入札者の通信端末に商品の入札価格と減算金額および支払金額を提示し、この支払金額の支払い要求を入札者が契約する決済機関に送信するので、提示された操作画面に対する入札者のスロット操作に起因して発生される予測不能数から減算金額を算出し、入札価格からこの減算金額を差し引いた支払金額を求め、落札時には、この支払金額をオークション会社に支払うことができ、入札者は減算金額分を得するため、入札者の参加意欲の向上に寄与することができる。
【図面の簡単な説明】
【０１５４】
【図１】本発明の第１の実施の形態に係るオークションシステムの構成を示す図である。
【図２】主催サーバ１３の構成を説明するためのブロック図である。
【図３】第１の実施の形態における主催サーバ１３の動作を説明するためのフローチャートである。
【図４】第１の実施の形態における主催サーバ１３の動作を説明するためのシーケンス図である。
【図５】ホームページのトップ画面を示す図である。
【図６】「コンピュータ」に関する商品項目を示す図である。
【図７】「ハードウェア」に関する商品項目を示す図である。
【図８】「ノートブック」に関する各製造メーカの商品Ａ〜Ｄを示す図である。
【図９】「ノートブック」の商品Ａに関する説明内容を示す図である。
【図１０】ユーザが選択した「ノートブック」の商品Ａに関する入札価格と支払い方法を示す図である。
【図１１】スロット操作とボーナスポイントに関する説明を示す図である。
【図１２】スロット操作に関する説明を示す図である。
【図１３】ユーザによる商品Ａの入札価格を確認するための図である。
【図１４】ユーザが商品Ａを落札した場合の落札価格と支払い価格、支払い条件を確認するための図である。
【図１５】第２の実施の形態における主催サーバ１３の動作を説明するためのフローチャートである。
【図１６】第２の実施の形態における主催サーバ１３の動作を説明するためのシーケンス図である。
【図１７】「ノートブック」に関する各製造メーカの商品Ａ〜Ｄと、入札申込手数料を示す図である。
【図１８】ユーザが選択した「ノートブック」の商品Ａに関する入札価格と支払い方法に加えて、１回の入札申込手数料を示す図である。
【図１９】ユーザが選択した「ノートブック」の商品Ａに関する入札価格と支払い方法に加えて、１回の入札申込手数料を示す図である。
【図２０】第３の実施の形態における主催サーバ１３の動作を説明するためのフローチャートである。
【図２１】第３の実施の形態における主催サーバ１３の動作を説明するためのシーケンス図である。
【図２２】スロット操作とボーナスポイントに関する説明に加えて、アンケートの記入を促すための図である。
【図２３】アンケート内容を示す図である。
【図２４】第４の実施の形態における主催サーバ１３の動作を説明するためのフローチャートである。
【図２５】第４の実施の形態における主催サーバ１３の動作を説明するためのシーケンス図である。
【図２６】スロット操作とボーナスポイントに関する説明に加えて、電子広告メールの受信を促すための図である。
【図２７】電子広告メールの一例を示す図である。
【図２８】第５の実施の形態における主催サーバ１３の動作を説明するためのフローチャートである。
【図２９】第５の実施の形態における主催サーバ１３の動作を説明するためのシーケンス図である。
【図３０】第６の実施の形態における主催サーバ１３の動作を説明するためのフローチャートである。
【図３１】第６の実施の形態における主催サーバ１３の動作を説明するためのシーケンス図である。
【図３２】第７の実施の形態における主催サーバ１３の動作を説明するためのフローチャートである。
【図３３】第７の実施の形態における主催サーバ１３の動作を説明するためのシーケンス図である。
【図３４】スロット操作とボーナスポイントに関する説明を示す図である。
【図３５】スロット操作に関する説明を示す図である。
【図３６】ユーザによる商品Ａの入札価格を確認するための図である。
【図３７】ユーザが商品Ａを落札した場合の落札価格と支払い価格、支払い条件を確認するための図である。
【図３８】落選通知情報を表す電子メールである。
【図３９】掲示板を表す表示画面である。
【図４０】第８の実施の形態における主催サーバ１３の動作を説明するためのフローチャートである。
【図４１】第８の実施の形態における主催サーバ１３の動作を説明するためのシーケンス図である。
【図４２】スロット操作に関する説明を示す図である。
【符号の説明】
【０１５５】
１１  インターネット
１３  オークション主催サーバ
１５  ユーザ端末
１７  決済機関サーバ
２１  通信処理部
２３  ハードディスクＨＤ
２５  ディスプレイ
２７  キーボード
２９  制御部
【図１】
2007200365.tif 000003
【図２】
2007200365.tif 000004
【図３】
2007200365.tif 000005
【図４】
2007200365.tif 000006
【図５】
2007200365.tif 000007
【図６】
2007200365.tif 000008
【図７】
2007200365.tif 000009
【図８】
2007200365.tif 000010
【図９】
2007200365.tif 000011
【図１０】
2007200365.tif 000012
【図１１】
2007200365.tif 000013
【図１２】
2007200365.tif 000014
【図１３】
2007200365.tif 000015
【図１４】
2007200365.tif 000016
【図１５】
2007200365.tif 000017
【図１６】
2007200365.tif 000018
【図１７】
2007200365.tif 000019
【図１８】
2007200365.tif 000020
【図１９】
2007200365.tif 000021
【図２０】
2007200365.tif 000022
【図２１】
2007200365.tif 000023
【図２２】
2007200365.tif 000024
【図２３】
2007200365.tif 000025
【図２４】
2007200365.tif 000026
【図２５】
2007200365.tif 000027
【図２６】
2007200365.tif 000028
【図２７】
2007200365.tif 000029
【図２８】
2007200365.tif 000030
【図２９】
2007200365.tif 000031
【図３０】
2007200365.tif 000032
【図３１】
2007200365.tif 000033
【図３２】
2007200365.tif 000034
【図３３】
2007200365.tif 000035
【図３４】
2007200365.tif 000036
【図３５】
2007200365.tif 000037
【図３６】
2007200365.tif 000038
【図３７】
2007200365.tif 000039
【図３８】
2007200365.tif 000040
【図３９】
2007200365.tif 000041
【図４０】
2007200365.tif 000042
【図４１】
2007200365.tif 000043
【図４２】
2007200365.tif 000044